(57)【特許請求の範囲】
【請求項１】
放送信号を受信し、放送信号に含まれる番組情報を抽出して蓄積する蓄積部を有する放送受信装置であって、
番組を視聴するユーザの嗜好情報に基づいて、前記蓄積部に蓄積された番組情報から、ユーザの嗜好にあった番組を抽出する抽出手段と、
前記抽出手段で抽出された番組がユーザにとってリアルタイムで視聴するのが好適か否かを、ユーザが当該番組に関連する過去の番組をリアルタイムで視聴した頻度を含む視聴履歴情報を用いて、前記リアルタイムで視聴した頻度が所定以上である場合に当該番組をリアルタイムで視聴するのが好適な番組であると判定する判定手段と、
前記判定手段での判定の結果、前記番組がリアルタイムで視聴するのが好適な番組である場合に、当該番組の放送前に、通信可能な外部装置に番組の存在を通知するための予告情報を送信する送信手段とを有することを特徴とする放送受信装置。
【請求項２】
前記抽出手段で抽出した番組を提示するための設定要求、または前記送信手段を用いて前記外部装置に番組の存在を通知する予告情報を送信するための設定要求を識別し、識別の結果に応じて、前記抽出手段で抽出された番組に対する前記判定手段の処理を実行するか否かを決定する処理手段を更に有することを特徴とする請求項１に記載の放送受信装置。
【請求項３】
前記送信手段が情報を送信する前記外部装置の情報と、前記予告情報を送信するタイミングに関する情報の設定入力を受け付ける設定手段を更に有し、
前記送信手段は、前記設定手段で受け付けた情報に従って、前記番組の存在を通知する情報を送信することを特徴とする請求項１に記載の放送受信装置。
【請求項４】
前記外部装置が存在する位置を検出する検出手段を更に有し、
前記送信手段は前記検出手段による外部装置の位置に応じて、前記設定手段で受け付けた前記予告情報を送信するタイミングを変更することを特徴とする請求項３に記載の放送受信装置。
【請求項５】
放送信号を受信し、放送信号に含まれる番組情報を抽出して蓄積する蓄積部を有する放送受信装置の制御方法であって、
番組を視聴するユーザの嗜好情報に基づいて、前記蓄積部に蓄積された番組情報から、ユーザの嗜好にあった番組を抽出する抽出ステップと、
前記抽出ステップで抽出された番組がユーザにとってリアルタイムで視聴するのが好適か否かを、ユーザが当該番組に関連する過去の番組をリアルタイムで視聴した頻度を含む視聴履歴情報を用いて、前記リアルタイムで視聴した頻度が所定以上である場合に当該番組をリアルタイムで視聴するのが好適な番組であると判定する判定ステップと、
前記判定ステップでの判定の結果、前記番組がリアルタイムで視聴するのが好適な番組である場合に、当該番組の放送前に、通信可能な外部装置に番組の存在を通知するための予告情報を送信する送信ステップとを含むことを特徴とする放送受信装置の制御方法。
【請求項６】
前記抽出ステップで抽出した番組を提示するための設定要求、または前記送信ステップを用いて前記外部装置に番組の存在を通知する予告情報を送信するための設定要求を識別し、識別の結果に応じて、前記抽出ステップで抽出された番組に対する前記判定ステップの処理を実行するか否かを決定する処理ステップを更に含むことを特徴とする請求項５に記載の放送受信装置の制御方法。
【請求項７】
前記送信ステップが情報を送信する前記外部装置の情報と、前記予告情報を送信するタイミングに関する情報の設定入力を受け付ける設定ステップを更に含み、
前記送信ステップは、前記設定ステップで受け付けた情報に従って、前記番組の存在を通知する情報を送信することを特徴とする請求項５に記載の放送受信装置の制御方法。
【請求項８】
前記外部装置が存在する位置を検出する検出ステップを更に含み、
前記送信ステップは、前記検出ステップによる外部装置の位置に応じて、前記設定ステップで受け付けた前記予告情報を送信するタイミングを変更することを特徴とする請求項７に記載の放送受信装置の制御方法。
【発明の詳細な説明】
【０００１】
【発明の属する技術分野】
本発明は、特に番組サービス情報を蓄積し、ユーザの視聴履歴情報や嗜好情報を基に検索を行い、ユーザにお薦め番組を提供するエージェント機能を持つ技術に関するものである。
【０００２】
【従来の技術】
従来、デジタル放送により番組を受信するＤＴＶ装置においては、デジタル放送に付随する番組サービス情報を適宜蓄積し、電子番組表として提供し、番組の視聴予約や録画予約等に利用していた。また、ユーザの視聴履歴情報や嗜好情報を基に、先の電子番組表のデータよりユーザの好みの番組を検索して提示する、いわゆるエージェント機能を持つＤＴＶ装置も存在していた。
【０００３】
ここで言うエージェント機能とは、主に、予めユーザによって入力された嗜好情報やユーザの視聴履歴情報より、視聴した曜日、時間帯毎に視聴した番組の番組関連情報より当該番組のジャンル、キーワード等を抽出、記録し、それぞれの項目について数値化及び繰り返し視聴回数などから適宜重み付けを行い、これらの数値化された情報を基に、前述の電子番組表における番組関連情報における検索を行い、各曜日及び時間帯毎にユーザのいつも見ている番組や、好みの番組を抽出するものである。
【０００４】
また、この時、ユーザの毎週定期的に視聴している番組など、習慣性の認められる番組については、ユーザが視聴をしていない際に前述のエージェント機能によりこれを検知し当該番組に対する録画機能を働かせるなど、ユーザの見忘れ等に対処していた。また、習慣性の認められない番組についても、特に、嗜好情報の一致度が高い、あるいは、放送局側のお薦め度合いが高い物に関しては、同様に、ユーザの好みの番組であるか否かをエージェント機能によりこれを検知し、当該番組に対する録画機能を働かせるなど、ユーザの見忘れ等に対処していた。
【０００５】
【発明が解決しようとする課題】
しかしながら、上記の様な構成においては、ユーザが家庭のＤＴＶ装置で、毎週家族と一緒に放送を視聴することを楽しみにしている連続ドラマや、結果をリアルタイムで知りたいスポーツ中継放送など、録画を後から見る事では視聴の楽しみが減ってしまう番組については、前述のエージェント機能が、いくら録画機能を働かせても満足の行く結果は得られることはなかった。
【０００６】
また、ユーザが前もって、エージェント機能により、前述の様なリアルタイムで見ることに価値のある番組の存在を知ることが出来、その結果、ＤＴＶ装置において視聴予約操作を行う事も出来るが、その場合も、ユーザが当該視聴予約を行った番組が始まる際に、ＤＴＶ装置のある場所に居なくては全く意味の無いものであった。
【０００７】
そこで、本発明の目的は、当該エージェント機能がユーザに対するお好み番組の検索を行う際、特に、リアルタイムで視聴する事が好ましい番組を抽出する手段を設け、当該番組が始まる一定の時間の前にＤＴＶ装置の通信手段を用いてユーザに通知することで、ユーザに確実にリアルタイムで視聴出来る機会を与えることにある。
【０００８】
【課題を解決するための手段】
本発明の放送受信装置は、放送信号を受信し、放送信号に含まれる番組情報を抽出して蓄積する蓄積部を有する放送受信装置であって、番組を視聴するユーザの嗜好情報に基づいて、前記蓄積部に蓄積された番組情報から、ユーザの嗜好にあった番組を抽出する抽出手段と、前記抽出手段で抽出された番組がユーザにとってリアルタイムで視聴するのが好適か否かを、ユーザが当該番組に関連する過去の番組をリアルタイムで視聴した頻度を含む視聴履歴情報を用いて、前記リアルタイムで視聴した頻度が所定以上である場合に当該番組をリアルタイムで視聴するのが好適な番組であると判定する判定手段と、前記判定手段での判定の結果、前記番組がリアルタイムで視聴するのが好適な番組である場合に、当該番組の放送前に、通信可能な外部装置に番組の存在を通知するための予告情報を送信する送信手段とを有することを特徴とする。
【００３４】
【発明の実施の形態】
以下、本発明の実施の形態を添付図面を参照しながら詳細に説明する。
【００３５】
＜第１の実施形態＞
図１は、本発明によるＤＴＶ装置の特徴を最も良く表わす機能ブロック図である。ここで、４０１〜４０３は、４１０のエージェント処理機能が外部より入手する事の出来る情報群であり、４０１は４０４に蓄えられる番組サービス情報を含む放送波、４０２は、ユーザがＤＴＶ装置に対して行う操作の情報であり、これにより、４０５に蓄えられるユーザの嗜好情報の各種入力や４０３の時間情報を利用して、４０６に蓄えられるユーザの操作手順により実際に視聴を行った番組視聴履歴情報の作成が行われる。
【００３６】
また、ここで４０７は蓄積された情報群４０４〜４０６の情報を基に４１０のエージェント処理機能が検索抽出した、電子番組表、即ちＥＰＧ表示であり、さらに４０８は４０７のＥＰＧ表示よりさらにユーザのお好み番組として抽出された、お好み番組提示リスト、４０９は４０８のお好み番組提示リストよりさらに番組予告が必要として抽出された番組予告通知リストである。
【００３７】
図２は、図１で検索、抽出された４０７〜４０９、この図ではそれぞれ６０１〜６０３の結果より、予告通知処理を行う情報を選択する機能ブロック図であり、６０３の番組予告通知リストにある情報の場合には直接６０５の通知予約キューに入り、必要な時に６０６の予告通知処理が行われる。また、６０１及び６０２の情報の場合には、６０４のユーザによる番組予告通知設定操作を経て６０５の通知予約キューに入るものである。
【００３８】
図３は、図２の予告通知処理以降の、３パターンの動作を説明した機能ブロック図であり、７０２の直接呼び出しの場合は、電話回線７０５を介してユーザの持つ携帯電話７０７などに直接通知されるものである。また、７０３のメール呼び出しの場合には、電話回線や無線回線、あるいはＣＡＴＶなどを介して、インターネットに接続し、チャットシステム、電子メールプロトコルによりユーザの持つ携帯端末などに通知するものである。また、７０４のＰＤＡ設定の場合には、予め、ＰＤＡと通信及び同期の出来るリンクが用意されている場合に、ＰＤＡのアラーム付きスケジュール機能を設定する為のファイルを作成し、ＰＤＡがＤＴＶ装置とアラーム付きスケジュール機能の同期処理を行い、ＤＴＶ装置が予告通知を行おうとする時間にＰＤＡのスケジューラにより通知を行うものである。
【００３９】
図４は本発明によるＤＴＶ装置の外観図であり、ＤＴＶ装置１０１（１０２、１０３含む）本体の周囲にＤＴＶ装置と接続されたＶＴＲ装置やＤＶ装置等の各種映像機器、音響機器、さらには、ＤＴＶ装置本体に挿入する事で格納された情報の記録、再生が可能となるメモリカード装置やＤＶＤなどに代表される各種メディア（図４：１０４〜１１２）などが表示されている。
【００４０】
図５は、ＤＴＶ装置を操作する為のリモコン装置であり、２０１はリモコン装置本体、２０２〜２０６はＤＴＶ装置の各種設定メニュー画面を操作するための上下左右移動ボタン及び中央の実行ボタン、２０７はデジタル放送時のデータ放送に用いられるカラーボタン、２０８はチャンネルをアップダウンする為のチャンネルアップダウンボタン、２０９はＤＴＶ装置の音量を制御するためのアップダウンボタンである。
【００４１】
図６は、本発明によるＤＴＶ装置の内部構成を示すブロック図であり、ここで３０１はデジタル放送電波を受信する為のアンテナ装置、３０２はアンテナから受信された電波を選局、同調する為のチューナ装置、３０３は選局された電波を復調し信号に変換する為の復調回路装置、３０４は復調された信号からＴＳ信号を分離する為のＴＳデコーダ回路、３０５は分離されたＴＳ信号より映像デコードを行なう映像デコーダ回路、３０６は同じくＴＳ信号より音声デコードを行なう音声デコーダ回路、３０７は同じくＴＳ信号よりデータ放送のデコードを行なうデータ放送デコーダ回路、３０８はＤＴＶ装置本体の各種制御装置からの情報を表示する為のＯＳＤ回路、３０９はＤＴＶ装置に搭載されているＥＰＧやエージェント処理機能などの各種アプリケーション、３１０はＤＴＶ装置内部で作成された各種映像情報を合成して出力する画像合成部、３１１はＤＴＶ装置の表示画面となるモニタ装置、３１２はＤＴＶ装置の各種制御の為のプログラム及び搭載されたアプリケーションのプログラム及び各種データを格納する為のＲＯＭ装置、３１３はＤＴＶ装置の各種制御の為のプログラム及び搭載されたアプリケーションのプログラム及び各種データを格納し、さらに、前記アプリケーションを動作させる為のワークとなるＲＡＭ装置、３１４はＤＴＶ装置の各種制御及びプリケーションを実行する為のＣＰＵ装置、３１５はＤＴＶ装置と外部機器との通信を行なう為のモデム装置、３１６はＤＴＶ装置の限定受信動作を行なう際の認証動作、あるいは外部機器との各種情報のやり取りを行なう為のＩＣカード装置、３１７はＤＴＶ装置の各回路ブロック間の情報伝達を行なう為のバス装置、３１８はＤＴＶ装置に接続された外部機器との画像データを含む高速なデータのやり取りを行なう為のインターフェース回路、３１９はＤＴＶ装置に各種コマンドを伝える為のリモコン装置である。
【００４２】
図７は、ＤＴＶ装置に搭載されたＥＰＧアプリケーションが表示されているＤＴＶ装置の表示画面を示す図であり、８０１は適宜表示される操作ガイド、８０２はページ移動ボタン、８０３はチャンネル名称、８０４は放送時刻、８０５は番組名称及び番組詳細からなる番組情報を示す。
【００４３】
図８は、図１のエージェント処理機能４１０が４０４〜４０６に蓄積された情報を基に検索及び抽出処理を行う為の演算処理をわかり易く説明する為の図である。ここで、５０７はユーザのお好み番組としてお好み番組提示リストとして抽出した番組名のリストであり、５０１は過去にユーザが同じ番組名の番組、シリーズ番組、あるいは、同じ時間帯に同じチャンネルで放送された番組を、リアルタイムに視聴していた頻度を０〜５の数値で表した数値を示す列、５０２は４０４に蓄積された番組サービス情報の番組関連情報より、予め登録されている嗜好情報４０５との適合度を０〜５の数値で表した数値を示す列、５０３は、４０４に蓄積された番組サービス情報の番組関連情報より、特別なイベントである事、あるいは、リアルタイムによる番組視聴に意味があると思わせる語句が含まれているか否かを、予め登録されている番組情報キーワードの語句との適合度として０〜５の数値で表した数値を示す列を示す。５０４は５０２及び５０３に関連する項目が複数存在した際の項目の列挙を想定したものであるが、ここでは簡単の為に省略している。５０５は５０１から５０４に示した各番組に対するそれぞれの数値を、５０６の補正乗数を乗じて加算した得点合計であり、ここでも５０４に示す項目は全て数値を０として省略してある。
【００４４】
図９は、ＤＴＶ装置のエージェント処理機能に対してお好み番組の抽出、又は、予告通知が必要な番組の抽出が要求された際の動作を示す流れ図である。ここで、ステップＳ９０２は、逐次蓄積されている番組サービス情報より、お好み番組の抽出を要求された範囲内の番組サービス情報の読み込みを行う。
【００４５】
ステップＳ９０３では、読み込まれた番組サービス情報より、未放送分のデータの検索を行い、ステップＳ９０４で各番組個別の番組サービス情報に分割して保存する。ステップＳ９０５では、図８の５０２で使用されるユーザの嗜好情報による個別の番組サービス情報の検索を行い、ステップＳ９０６では検索結果より、適合度を点数付けする。
【００４６】
ステップＳ９０７では、全ての番組候補について点数付けが終了したか否かが判定され、まだの場合にはステップＳ９０５へとループする。また、全ての番組候補について点数付けが終了した場合には、ステップＳ９０８へと進み、図８の５０３で使用される、特別なイベントであること、あるいは、リアルタイムによる番組視聴に意味があると思わせる語句として予め登録されている番組情報キーワードによる個別の番組サービス情報の検索を行い、ステップＳ９０９では検索結果より、適合度を点数付けする。
【００４７】
ステップＳ９１０では、全ての番組候補について点数付けが終了したか否かが判定され、まだの場合にはステップＳ９０８へとループする。また、全ての番組候補について点数付けが終了した場合には、ステップＳ９１１へと進み、要求されている項目がお好み番組の表示であるか否かの判定が行われる。この時、お好み番組の提示が要求されている場合にはステップＳ９２１へと進み、ここまでの得点、即ち、図８の５０２及び５０３の得点合計によるソートが行われる。ステップＳ９２２では、要求された個数のお好み番組が得られるまで、得点の上位から順にお好み番組の検出が行われ、ステップＳ９２３においてお好み番組リストとして必要数の出力が行われる。
【００４８】
また、ステップＳ９１１において、今回のお好み番組検索処理が予告通知のものである場合には、ステップＳ９１２へと進み、リアルタイムに視聴していたどうかの履歴情報についての検索を行い、ステップＳ９１３では検索結果より、適合度を点数付けする。ステップＳ９１４では、全ての番組候補について点数付けが終了したか否かが判定され、まだの場合にはステップＳ９１２へとループする。
【００４９】
また、全ての番組候補について点数付けが終了した場合には、ステップＳ９１５へと進み、ここまでの全ての得点、即ち、図８の５０１、５０２及び、５０３の得点合計によるソートが行われる。ステップＳ９１６では、得点合計の値が一定の値を超えたか否かにより予告通知が必要な番組を検出する。ステップＳ９１７では、検出された予告通知が必要な番組について、放送時間順にソートが行われ、ステップＳ９１８でユーザにより設定されている予告通知の方法についての情報が取得され、ステップＳ９１９で、予告が必要な番組の放送開始時間の一定時間前を予告通知の時間として設定し、ステップＳ９２０で、実際に予告通知を行う手段に対して、実行待ちのキューに出力される。
【００５０】
以下、図１〜図９を用いて、本発明による第１の実施形態について詳細に説明する。今、ユーザは本発明によるＤＴＶ装置においては、毎日、あるいは特定の時間毎に、定期的にバックグラウンドで図４の１１０〜１１２に代表される様な、地上波放送、ＣＡＴＶ、インターネット、そして衛星放送などの各種放送及び通信手段により送られている番組に関する関連情報である番組サービス情報の取得が行われている。
【００５１】
この番組サービス情報は、ＤＴＶ装置内において、図７に示す様な電子プログラムガイド、即ち電子番組表などに活用されている。電子番組表では、各チャンネルにおける番組の名称、ジャンル情報、放送時間、番組案内など、番組関連情報が一覧表示されており、ユーザがＤＴＶ装置のリモコンを用いて特定の番組を選択し、ＤＴＶ装置の表示画面上に表示される操作ガイドに従って操作を行うことで、当該選択した番組の視聴予約、録画予約などが簡単に設定出来るものであった。
【００５２】
特に、ユーザに、ユーザの好みにあった番組を検索して提供するお好み番組機能を搭載したＤＴＶ装置では、一般にエージェント機能と呼ばれる、ユーザが予め入力したユーザの嗜好に関するキーワード情報や、日頃の視聴履歴と当該視聴した番組に関連する情報などにより得たユーザの視聴傾向情報を基に、ユーザに対して、番組関連情報として蓄積されている今後放送される予定の番組の中から、ユーザの好みにあった番組を類推して提示する機能が搭載されている。
【００５３】
これらのエージェント機能は、主に、放送波と共に提供され、蓄積された番組サービス情報に対するキーワードの検索による一致度により点数付けを行い、また、目的用途毎に必要なキーワードを変更し、それぞれ得られた点数を必要に応じて重み付けを行い、しかる後に加算する事で、合計後の得点の特徴より目的の結果を得ていた。したがって、ユーザのお好み番組の検索の様な、曖昧な情報に関するものについては、確実な結果は得られないにしても、複数のキーワードや視聴時間の習慣的傾向、また指定されたジャンルなどから、概ね、ユーザの満足のゆく結果を得られていた。
【００５４】
いま、ＤＴＶ装置において、ユーザの就寝中に、ＤＴＶ装置内部のタイマー処理により本日のお好み番組の提供に関する要求が行われたとすると、お好み番組検索処理が図９のステップＳ９０１より開始される。ステップＳ９０２〜９０３にかけて、図１の４０４に蓄積されている番組サービス情報のうち、本日放送される予定の番組に関する番組サービス情報が読み込まれ、ステップＳ９０４では、読み込まれた番組サービス情報が個別の番組に分割される。
【００５５】
ステップＳ９０５では、図１の４０５のユーザの嗜好情報となるキーワードにより、個別の番組に対する検索が行われる。その結果、ステップＳ９０６において、検索結果が完全一致から部分一致など一致度に応じて点数付けがされ、嗜好情報の重要性を考慮した補正乗数により重み付けがなされ、最終的な点数付けが行われる。
【００５６】
ステップＳ９０７〜９０５のループにおいて、全ての番組に対する点数付けを完了すると、同様に、ステップＳ９０８〜９１０のループにおいて、番組情報キーワードに関する点数付けが行われる。ここで言う番組情報キーワードとは、ユーザが予め登録するものではなく、番組が何らかの特別な番組である事を識別する為のキーワードであり、世紀のビックイベントや何らかの記念的番組であることを識別するものである。
【００５７】
次に、ステップＳ９１１において、お好み番組の提示のみの要求であるかが判定され、ここでは、予告通知番組の検出を行う為にステップＳ９１２へと進む。ここでは、対象となる個別の番組と同じタイトル、放送時間帯など、同じ番組であるか、あるいはシリーズ物であったか等の過去の番組に関する検索を行い、ステップＳ９１３で、リアルタイムで視聴していた歩合を基に点数付けがなされ、これに当該項目の重要性を考慮した補正乗数により重み付けがなされ、最終的な点数付けが行われる。
【００５８】
以降、ステップＳ９１２〜ステップＳ９１４までのループにおいて点数付けが完了する。この時、夫々の情報に基づく検索には、本来いくつものキーワードによる検索が行われるのが通常であるが、ここでは簡単な説明の為に省略する。また、夫々の補正乗数についても、検索指示の目的別に夫々の検索キーワードの重要性に基づいて適宜変更されるべきものであるが、ここでは同様に固定とする。
【００５９】
また、本実施形態では、予告通知を行う目的で検索を行う為に、リアルタイムでの視聴履歴の歩合による点数に乗じる補正乗数を特に大きくしている。その結果、図８の例においては、番組１３と番組５１を比較した場合、嗜好情報と番組情報の点数で上回る番組１３が、リアルタイム視聴を殆ど行っておらず、録画など別の手段で視聴が多いため、リアルタイム視聴履歴情報による点数付けが番組５１にくらべて極端に低く、また、同様に嗜好情報と番組情報では、高い得点を得る事がない番組３５が習慣的なリアルタイム視聴となっている為に、ここでは高い得点を得る結果となっている。
【００６０】
次に、ステップＳ９１５において、得点合計５０５による順位付けソートが行われ、ステップＳ９１６において、予め決められた閾値、この例では、４０という値を超えた点数を持つ番組を、予告通知の必要な番組であると検出している。図８の場合においては、番組３５及び番組５１がこれに該当する事となる。ステップＳ９１７では、予告通知が必要であると検出された番組について、それぞれの番組の放送開始時間を基にソートを行い、放送開始時間が早い順番に並べられる。
【００６１】
ステップＳ９１８では、図３に示した様な、具体的な予告通知の手段について予めユーザが設定した情報を取得する。ステップＳ９１９では、放送開始時間のどれくらい前に通知するか、やはり予めユーザが設定した情報を取得する。ステップＳ９２０では、予告通知を行う番組の予告通知情報を、図２の予告通知の予約待ちとなる通知予約キュー６０５に格納し、お好み番組検索処理を終了する。
ここで、予告すべき端末の設定処理と予告時間の設定処理について簡単に説明する。
これらの処理はリモコン２１０を操作することで実行可能である。
即ち、ユーザはメニュー画面により図３に示した予告すべき端末の種類やメイルアドレスなどを設定する。更に、放送開始時刻の何時間前に予告通知すべきかということを端末毎に設定する。
【００６２】
以後、通知予約キューに格納された予告通知情報は通知すべき時間が来たら予め設定された方法によって、図３の如く通知が行われる。以上説明した様に、本実施形態によればＤＴＶ装置が、ユーザのお好み番組を検出する際に、ユーザのリアルタイム視聴の履歴情報を加味して検索及び得点付けを行うことで、ユーザがＤＴＶ装置の前で習慣的に番組放送時にリアルタイムで視聴している番組について、特定の時間前に直接ユーザに番組の開始を予告通知することが可能となり、リアルタイムでの視聴を楽しみにしている連続番組や、特別なイベント番組について、確実に視聴することが可能となる。
【００６３】
＜第２の実施形態＞
上記第１の実施形態においては、番組の放送開始時間の、予め定められた一定の時間前にユーザに通知を行うシステムとしていたが、本実施例においては、図１０に示す様に、ＤＴＶ装置が定期的にユーザの居る現在位置を確認する手段を設け、ＤＴＶ装置が設置されている位置からユーザの居る位置までの距離を算出し、当該距離が一定の値を超えた場合には、予め設定された予告通知の時間を早めに変更して通知する手段を設けたものである。
【００６４】
ユーザの居る現在位置を確認する方法としては、ユーザの携帯している携帯電話などの端末において実施されている無線通信と無線基地局を利用したサービスが知られている。また、ＧＰＳ装置と無線通信機器を組み合わせたシステムも稼動している。何れのシステムもインターネットを介して情報を得られるサービスとして既に稼動している。ＤＴＶ装置においてはこれらのサービスを利用し、定期的にユーザの現在位置を確認することが可能である。
【００６５】
この様な構成にすることで、標準の状態では、日中、会社にいることを想定して、家に帰るまでの時間を通勤の余裕を見つつ一時間とし、ＤＴＶ装置の番組予告通知を放送開始時間の一時間前に通知する様に設定してあったにも関わらず、外出や出張などで会社の位置よりも遠くに出かけた場合でも、早めに番組の予告通知を行うことで、確実に番組を視聴することが可能となる。
なお、予定にはなかった外出等で、早めに番組の予告通知がなされたにもかかわらず、番組の放送開始に間に合わないような場合が考えられる。
この場合、通知を行った携帯電話やＰＤＡなどの端末から、その番組を録画するようユーザがＤＴＶに対して指示できるよう構成してもよい。具体的には、例えば、図３において、携帯端末７０８はＤＴＶより予告通知を受けると、内蔵する表示部にその旨を示す情報と、“了解”、及び、“録画指示”のアイコンを表示する。ユーザはそのまま了解して終了する場合には“了解”のアイコンを操作するが、放送開始までに間に合いそうも無く、録画しておきたい場合には、“録画指示”のアイコンを操作する。携帯端末７０８は今予告された番組を録画するよう、ＤＴＶに対して支持する。
【００６６】
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６７】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６８】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００６９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００７０】
【発明の効果】
本発明によれば、ユーザにとってリアルタイムで視聴するのが好適な番組の放送前に、通信可能な外部装置に当該番組の存在を通知するようにしたので、ユーザに対する当該番組の予告通知によって、ユーザが確実にリアルタイムな視聴を可能とすることができる。
【図面の簡単な説明】
【図１】本発明の第１の実施形態における受信装置の機能ブロック図である。
【図２】本発明の一実施形態における予告通知処理に関わる受信装置の機能ブロック図である。
【図３】本発明の一実施形態における予告通知処理以降の処理に関わる受信装置に機能ブロック図である。
【図４】本発明の一実施形態であるＤＴＶ装置の外観図である。
【図５】本発明の一実施形態であるＤＴＶ装置を操作するためのリモコン装置の外観図である。
【図６】本発明の一実施形態であるＤＴＶ装置の内部構成を示すブロック図である。
【図７】本発明の一実施形態であるＤＴＶ装置の表示画面で表示されたＥＰＧアプリケーションの一例を示す図である。
【図８】本発明の実施形態におけるエージェント処理機能による検索及び抽出機能を行うための演算処理を分かりやすく説明するための図である。
【図９】本発明の一実施形態であるＤＴＶ装置のエージェント処理機能による、お好み番組の抽出、又は、予告通知が必要な番組の抽出が要求された際の動作を示す流れ図である。
【図１０】本発明の第２の実施形態における受信装置の機能ブロック図である。
【符号の説明】
４０１  放送波
４０２  ユーザ操作
４０３  時間情報
４０４  番組サービス情報
４０５  ユーザプロファイル
４０６  番組視聴履歴情報
４０７  ＥＰＧ表示
４０８  お好み番組提示リスト
４０９  番組予告通知リスト
４１０  エージェント処理機能
【図１】
0004708607.tif 000002
【図２】
0004708607.tif 000003
【図３】
0004708607.tif 000004
【図４】
0004708607.tif 000005
【図５】
0004708607.tif 000006
【図６】
0004708607.tif 000007
【図７】
0004708607.tif 000008
【図８】
0004708607.tif 000009
【図９】
0004708607.tif 000010
【図１０】
0004708607.tif 000011